(57)【要約】      （修正有）【課題】座部のみでなく腰部分も温めることができる暖房装置を提供する。【解決手段】温度調節機能を持つ座部と、角度調節自在に設置する事のできる背部とで形成され、座部と背部に温度調節機能を持ち操作部より、温度操作を行なう事で、座部と背部の温度設定、温度調節を行なう。【選択図】図1
0003102842.tif 000002
【実用新案登録請求の範囲】
【請求項１】
座部と、角度調節自在に設置された背部とで形成された温度調節ができる事を特徴とする暖房装置。
【請求項２】
前記背部の縦幅が座部の縦幅より縦幅が小さいことを特徴とする請求項１記載の暖房装置。
【請求項３】
前記背部と座部、あるいは背部のみ、あるいは座部のみを温度調節ができることを特徴とする請求項１、２記載の暖房装置。
【請求項４】
前記、暖房装置で、角度調節部と温度調節を行なう操作部が一対となっている事を特徴とする請求項１、２、３記載の暖房装置。
【請求項５】
座部と、角度調節自在に設置された背部とで形成された温度調節ができる事を特徴とする電気座布団。
【請求項６】
前記背部の縦幅が座部の縦幅より小さい事を特徴とする請求項５記載の電気座布団。
【請求項７】
前記背部と座部、あるいは背部のみ、あるいは座部のみを温度調節ができる事を特徴とする請求項５、６記載の電気座布団。
【請求項８】
前記、電気座布団で、角度調節部と温度調節を行なう操作部が一対となっている事を特徴とする請求項５，６，７記載の電気座布団。
【考案の詳細な説明】
【発明の詳細な説明】
【産業上の利用分野】
【０００１】  本考案は、座布団などの暖房装置に関する。
【背景技術】
【０００２】  従来の温度調節機能を持つ座布団は、座部のみで構成されていた。また、椅子または座椅子などに、この温度調節機能を持つ座布団を用いている。
【発明が解決しようとする課題】
【０００３】  高齢化社会になり寝たきりの老人、動く事が困難になってしまった老人が、椅子、あるいは座椅子あるいは車椅子に座った状態でいる場合、電気座布団を使用しているが、座部のみしか温められず、腰等の背部を温める事ができなかった。
【課題を解決するための手段】
【０００４】  本発明の温度調節機能を持つ暖房装置の特徴は、座部と、角度調節自在に設置する事のできる背部とで形成されている。この暖房装置は座部と背部に温度調節機能を持っている。
【０００５】  従来の電気座布団などは、座部のみ温める事のできるものであったが、上記の発明によれば、座部のみでなく背部も温める事ができる。
【実施例１】
【０００６】  図１・２は、本発明の暖房装置（電気座布団）の本体で、１は、暖房装置の座部、２は暖房装置の背部、３は、角度調節を行なう部分、４は、ヒーター、５は、運転スイッチ及び温度設定装置を備えた操作部、６は、電源コード部を備えている。電気座布団と同様に、クッション素材が中に入っている。【０００７】電源コード部６のプラグ部７を電源供給を行えるコンセントに差し込み、温度調節を行なう事ができる。【０００８】  図１・２は、ヒーターが、暖房装置の座部と背部にあり、５の操作部より、操作を行なう事で、座部と背部の温度設定、温度調節を行なう事ができる。【０００９】  図１・２は、ヒーターが、暖房装置の座部と背部にあり、座部、背部それぞれの温度を調節する事ができる。この時、座部、背部を同温度で、温度設定する事もできる。更に、座部のみ温め、背部は、温める機能を停止させる、また、背部のみ温め、座部は、温める機能を停止させる事もできる。【００１０】  また、図１・２に示す様に、本発明の暖房装置の座部の縦幅をＡとし、背部の縦幅をＢとした場合、ＢはＡより縦幅が小さい事が望ましい。座椅子あるいは椅子等に設置する場合、背部の縦幅が、座部の縦幅より小さいと設置しやすい。【００１１】  図１・２で暖房装置の形は四角になっているが、用途によっては、丸型、楕円型、三角型、ひし形、多角形など様々な形でも良い。また用途によって座部と背部の形が、丸型、楕円型、三角、四角、ひし形、多角形などの異なる形の組み合わせでも良い。【００１２】  図１・２で示している５の運転スイッチ及び温度設定装置を備えた操作部は、用途によって、本体のどの部分に設置しても構わない。また、５の運転スイッチ及び温度設定装置を備えた操作部は、リモートコントローラーで設定する事もできる。【００１３】  図１・２で示している３の角度調整を行なう部分は、用途によって暖房装置の内部に組み込まれて、外から見えないものであっても良い。
【実施例２】
【００１４】  図３・４は、本発明の暖房装置（電気座布団）の本体で、１は、暖房装置の座部、２は暖房装置の背部、３は、角度調節を行なう部分、４は、ヒーター、５は、運転スイッチ及び温度設定装置を備えた操作部、６は、電源コード部を備えている。３の角度調節を行う部分と５の運転スイッチ及び温度設定装置を備えた操作部が一対となっている。電気座布団と同様に、クッション素材が中に入っている。【００１５】電源コード部６のプラグ部７を電源供給を行えるコンセントに差し込み、温度調節を行なう事ができる。【００１６】  図３・４は、ヒーターが、暖房装置の座部と背部にあり、５の操作部より、操作を行なう事で、座部と背部の温度設定、温度調節を行なう事ができる。【００１７】  図３・４は、ヒーターが、暖房装置の座部と背部にあり、座部、背部それぞれの温度を調節する事ができる。この時、座部、背部を同温度で、温度設定する事もできる。更に、座部のみ温め、背部は、温める機能を停止させる、また、背部のみ温め、座部は、温める機能を停止させる事もできる。【００１８】  また、図３・４に示す様に、本発明の暖房装置の座部の縦幅をＡとし、背部の縦幅をＢとした場合、ＢはＡより縦幅が小さい事が望ましい。座椅子あるいは椅子等に設置する場合、背部の縦幅が、座部の縦幅より小さいと設置しやすい。【００１９】  図３・４で暖房装置の形は四角になっているが、用途によっては、丸型、楕円型、三角型、ひし形、多角形など様々な形もできる。また用途によって座部と背部の形が、丸型、楕円型、三角、四角、ひし形、多角形などの異なる形の組み合わせでも良い。【００２０】  図３・４で示している３の角度調節を行う部分と５の運転スイッチ及び温度設定装置を備えた操作部が一対となっている部分は、端の部分が回転のできるダイアル式で操作できる。５の運転スイッチ及び温度設定装置を備えた操作部となっている。【００２１】この５の運転スイッチ及び温度設定装置を備えた操作部は、用途によって、右端あるいは、左端あるいは、左右両方の端に設置できる。【００２２】  図３・４で示している３の角度調整を行なう部分は、用途によって暖房装置の内部に組み込まれて、外から見えないものであっても良い。
【発明の効果】
【００２３】  以上の様にこの暖房装置の発明によれば、温度調節機能を持つ座部と、角度調節自在に設置する事のできる背部とで形成され、座部と背部に温度調節機能を持つ事で、従来の電気座布団などは、座部のみ温める事のできるものであったが、上記の発明によれば、座部のみでなく背部も温める事ができるようになった。
【図面の簡単な説明】
【図１】この発明の一実施例における暖房装置の斜視図。
【図２】この発明の一実施例における暖房装置の断面図。
【図３】この発明の一実施例における暖房装置の斜視図。
【図４】この発明の一実施例における暖房装置の断面図。
【符号の説明】
１  暖房装置の座部
２  暖房装置の背部
３  角度調節を行なう部分
４  ヒーター
５  運転スイッチ及び温度設定装置を備えた操作部
６  電源コード部
７  プラグ部
【図１】
0003102842.tif 000003
【図２】
0003102842.tif 000004
【図３】
0003102842.tif 000005
【図４】
0003102842.tif 000006